(57)【要約】【課題】加入者宅の外壁に穴をあける等の特別な工事を一切不要とし、設置コストのかからない無線アクセスライン延伸装置を提供することができる。【解決手段】無線基地局１との間で無線通信するための加入者用屋外装置６と、加入者用屋外装置６が無線基地局１から受信した通信データをメディア変換して加入者宅内電灯線１２へ出力するための加入者用メディア変換器１１と、加入者宅内電灯線１２を介して送信される前記通信データを受信して加入者用のパーソナルコンピュータ１４に出力する加入者用ルータ１３とを備え、加入者用屋外装置６と加入者用メディア変換器１１とはケーブル７を介して接続されており、当該ケーブル７はエアコン１０のドレンパイプ９用の穴を経由して加入者宅内に引き込まれている。【選択図】図１
2005312184.tif 000002
【特許請求の範囲】
【請求項１】
無線基地局と加入者用端末装置とを接続するための無線アクセスライン延伸装置であって、
前記無線基地局との間で無線通信するための加入者用屋外装置と、
前記加入者用屋外装置に接続され、当該加入者用屋外装置が前記無線基地局から受信した通信データをメディア変換して加入者宅内電灯線へ出力するための加入者用メディア変換器と、
前記加入者宅内電灯線に接続され、当該加入者宅内電灯線を介して送信される前記通信データを受信して、前記加入者用端末装置に出力する加入者用ルータと
を備え、
前記加入者用屋外装置と前記加入者用メディア変換器とはケーブルを介して接続されており、当該ケーブルはエアコンのダクト用穴を経由して加入者宅内に引き込まれている
ことを特徴とする無線アクセスライン延伸装置。
【請求項２】
前記加入者用メディア変換器と前記エアコンとは共通の電源プラグを経由して前記加入者宅内電灯線に接続されており、
当該電源プラグは、前記エアコンが発生するノイズを除去するためのノイズフィルタを備えている
ことを特徴とする請求項１に記載の無線アクセスライン延伸装置。
【請求項３】
前記無線基地局と前記加入者用端末装置との間で送受信される前記通信データは暗号化されて送受信されることを特徴とする請求項１または２に記載の無線アクセスライン延伸装置。
【請求項４】
前記加入者宅が複数個あって、
１つの加入者用屋外装置に対して２以上の加入者宅内電灯線が前記加入者用メディア変換器を介して接続されている
ことを特徴とする請求項１ないし３のいずれか１項に記載の無線アクセスライン延伸装置。
【発明の詳細な説明】
【技術分野】
【０００１】
この発明は無線アクセスライン延伸装置に関し、特に、加入者系無線アクセスラインを、加入者宅内の宅内電灯線を通信線として延伸するための無線アクセスライン延伸装置に関するものである。
【背景技術】
【０００２】
従来の通信ネットワークにシステムにおいては、伝送媒体（伝送路）として各端末装置に対し個別に専用線を配線している。そのため、専用線の新規配線・追加・移動の工事のための労力が多大であるとともに、変更後に不要な専用線が余るなどの無駄が多い。
【０００３】
そこで、室内電力線を通信線として用いる通信ネットワークシステムが提案されている（例えば、特許文献１参照。）。
【０００４】
しかしながら、室内電力線を通信線に利用する場合、室内電力線に接続されている各端末装置の管理や室内電力線によるネットワークの状態の監視を行う手段がないと、ネットワークの機能を十分に活用することができない。そこで、当該特許文献１に記載されている従来の通信ネットワークシステムにおいては、分電盤近傍で各系統の室内電力線に接続されると共に外部通信ネットワークに接続された通信制御装置とを備え、当該通信制御装置により室内電力線使用の通信ネットワークの通信制御および外部通信ネットワークとの通信制御を行っている。
【０００５】
【特許文献１】特開２００１−９４４８２号公報
【発明の開示】
【発明が解決しようとする課題】
【０００６】
近年、無線通信技術が急速に注目を集めているが、上記の特許文献１の従来のシステムに無線通信技術を適用しようとすると、一般に無線基地局は戸外の電柱に設置されているため、当該無線基地局との無線通信を室内で行うためには、ベランダ等の室外に加入者用屋外装置を設置して、それに室内電力線を接続する必要がある。そのため、加入者用屋外装置と室内電力線とを接続するための電源ケーブルを宅内に引き込むために壁に穴をあけるための工事が必要であり、設置コストが高いという問題点があった。
【０００７】
さらに、当該電源ケーブルを電力供給に用いて、通信線としてイーサネット（登録商標）ケーブル（以下、ＬＡＮケーブルとする。）を使用する場合には、当該ＬＡＮケーブルと電源ケーブルとを宅内に引込むための穴を壁にあけるための工事が必要であり、設置コストがさらに高く、また、宅内のパーソナルコンピュータの近傍まで当該ＬＡＮケーブルを敷設する必要があり、敷設費用が高いという問題点があった。
【０００８】
この発明はかかる問題点を解決するためになされたものであり、加入者宅の外壁に穴をあける等の特別な工事を一切不要とし、設置コストのかからない無線アクセスライン延伸装置を提供することを目的とする。
【課題を解決するための手段】
【０００９】
この発明は、無線基地局と加入者用端末装置とを接続するための無線アクセスライン延伸装置であって、前記無線基地局との間で無線通信するための加入者用屋外装置と、前記加入者用屋外装置に接続され、当該加入者用屋外装置が前記無線基地局から受信した通信データをメディア変換して加入者宅内電灯線へ出力するための加入者用メディア変換器と、前記加入者宅内電灯線に接続され、当該加入者宅内電灯線を介して送信される前記通信データを受信して、前記加入者用端末装置に出力する加入者用ルータとを備え、前記加入者用屋外装置と前記加入者用メディア変換器とはケーブルを介して接続されており、当該ケーブルはエアコンのダクト用穴を経由して加入者宅内に引き込まれている無線アクセスライン延伸装置である。
【発明の効果】
【００１０】
この発明は、無線基地局と加入者用端末装置とを接続するための無線アクセスライン延伸装置であって、前記無線基地局との間で無線通信するための加入者用屋外装置と、前記加入者用屋外装置に接続され、当該加入者用屋外装置が前記無線基地局から受信した通信データをメディア変換して加入者宅内電灯線へ出力するための加入者用メディア変換器と、前記加入者宅内電灯線に接続され、当該加入者宅内電灯線を介して送信される前記通信データを受信して、前記加入者用端末装置に出力する加入者用ルータとを備え、前記加入者用屋外装置と前記加入者用メディア変換器とはケーブルを介して接続されており、当該ケーブルはエアコンのダクト用穴を経由して加入者宅内に引き込まれている無線アクセスライン延伸装置であるので、加入者宅の外壁に穴をあける等の特別な工事を一切不要とし、設置コストのかからない無線アクセスライン延伸装置を提供することができる。
【発明を実施するための最良の形態】
【００１１】
実施の形態１．
図１は、この発明の実施の形態１に係る加入者系無線アクセスライン延伸装置を示す構成図である。図１に示すように、本実施の形態に係る加入者系無線アクセスライン延伸装置は、電柱２に設けられて外部の通信線３に接続されている無線基地局１と無線通信を行うための加入者用屋外装置６を備えている。加入者用屋外装置６は、集合住宅４のベランダ５に設置されている。加入者用屋外装置６には、給電イーサネット（登録商標）ケーブル７（以下、給電ＬＡＮケーブル７とする。）が接続され、加入者用メディア変換器１１を介して、宅内電灯線１２に接続されている。なお、近年においてはベランダ５にエアコンの室外機８が設置されていることが多く、室内に設置されているエアコン１０との間はドレンパイプ９（ダクト）により接続されている。そのため、現在の住宅においては建設する際に必ずドレンパイプ９用の穴（ダクト用穴）を壁に設置するのが常識である。本実施の形態１に係る加入者系無線アクセスラインの延伸装置においては、給電ＬＡＮケーブル７も、このドレンパイプ９用の穴を経由して室内に引き込まれている。また、室内に置かれた加入者用端末装置であるパーソナルコンピュータ１４は、宅内ルータ１３を介して、宅内電灯線１２に接続されている。
【００１２】
次に、本実施の形態１に係る加入者系無線アクセスライン延伸装置の動作について図１に従って説明する。無線基地局１は電柱２の上に設置され、インターネットや電話回線等の外部ネットワークと通信線３によって接続されている。集合住宅４の加入者宅のベランダ５には加入者用屋外装置６が設置され、無線基地局１と無線通信を行う。また、加入者用屋外装置６は、給電ＬＡＮケーブル７によって、加入者用メディア変換器１１と通信することができる。また、加入者用屋外装置６が必要とする電力も、給電ＬＡＮケーブル７により、加入者用メディア変換器１１を介して給電される。イーサネット（登録商標）ケーブルを使用して給電する方法としては、例えば、“パワー・オン・イーサネット（登録商標）（Ｐｏｗｅｒ  ｏｎ  Ｅｔｈｅｒｎｅｔ（登録商標））”技術を使用する。エアコンの室外機８はエアコン１０とドレンパイプ９で接続されているが、ドレンパイプ９用に壁に作られた穴を利用して、給電ＬＡＮケーブル７もまた室内に引込まれる。加入者用メディア変換器１１は宅内電灯線１２を使用して宅内ルータ１３と通信する。パーソナルコンピュータ１４は宅内ルータ１３に接続される。
【００１３】
以上のように、本実施の形態１によれば、室内のパーソナルコンピュータ１４は、宅内ルータ１３、宅内電灯線１２、加入者用メディア変換器１１、給電ＬＡＮケーブル７、加入者用屋外装置６、無線基地局１、通信線３を介して、外部ネットワークに接続でき、かつ、外部から室内に引き込まれている給電ＬＡＮケーブル７を既設のエアコンのドレンパイプ９用の穴を介して室内に引き込むようにしたので、壁に穴をあける等の特別な工事を一切不要とし、容易に室内に引き込むことができるので、設置コストのかからない無線アクセスライン延伸装置を実現することができる。また、室内に専用の通信線を敷設することなく、加入者系無線アクセスラインを延伸することができ、設置コストをさらに低減することができる。
【００１４】
実施の形態２．
図２はこの発明の実施の形態２に係る加入者系無線アクセスライン延伸装置の構成を示す構成図であり、加入者用メディア変換器とエアコンとが共通のノイズフィルター付き電源プラグ２７を介して宅内電灯線に接続されている点が、上述の実施の形態１と異なる。なお、図１と同じ構成については同一符号を付して示し、以下ではそれらの説明は省略する。
【００１５】
本実施の形態２に係る加入者系無線アクセスライン延伸装置においては、図２に示すように、加入者用メディア変換器２６は、ノイズフィルタ２８付き電源プラグ２７によって宅内電灯線２５に接続されている。ノイズフィルタ２８付き電源プラグ２７にはノイズフィルタ２８が内蔵されている。エアコン３０は電源ケーブル２９によりノイズフィルタ２８付き電源プラグ２７を介して宅内電灯線２５に接続される。
【００１６】
エアコン３０はノイズを発生し、そのノイズは電源ケーブル２９によって伝導されるが、ノイズフィルタ２８によってノイズがカットされるため、加入者用メディア変換器２６による宅内電灯線２５を経由する電力線搬送通信へのノイズの印加を低減させることできる。
【００１７】
以上のように、本実施の形態２によれば、上述の実施の形態１と同様の効果が得られるとともに、さらに、エアコン３０と宅内電灯線２５との間にノイズフィルタ２８付き電源プラグ２７を設けるようにしたので、エアコン３０で発生したノイズはノイズフィルタ２８によってカットされるため、加入者用メディア変換器２６による電力線搬送通信へのノイズの印加を低減させることできる。
【００１８】
実施の形態３．
次に、この発明の実施の形態３に係る加入者系無線アクセスライン延伸装置を説明する。
【００１９】
近年、無線による通信のセキュリティが問題となっており、例えば２．４ＧＨｚ帯無線ＬＡＮでは、“ＷＡＰ（Ｗｉｒｅ  Ｅｑｕｉｖａｌｅｎｔ  Ｐｒｉｖａｃｙ）”という通信データの暗号化方式が標準的に使用されている。また、電力線搬送通信も、複数のユーザが共通の電灯線を使用して通信することから、セキュリティの問題が指摘されている。この問題を解決し、かつ、加入者が容易にセキュリティの設定を機器に施す方法について本実施の形態３においては説明する。本実施の形態３に係る加入者系無線アクセスライン延伸装置の構成は、上述の実施の形態１または２と同じであるため、ここではその説明は省略する。また、以下の説明においては、実施の形態１の構成に本実施の形態３を適用した例について説明する（実施の形態１の構成に本実施の形態３を適用した例については同様であるため、説明を省略する。）。
【００２０】
本実施の形態３においては、上述の実施の形態１または２の構成において、外部の通信線３がインターネットに接続されており、加入者系無線アクセスラインによるインターネットアクセスをサービスするＩＳＰ（ｌｎｔｅｒｎｅｔ  Ｓｅｒｖｉｃｅ  Ｐｒｏｖｉｄｅｒ）は、加入者ごとに異なる暗号化のキー（暗号鍵）を配布する。
【００２１】
加入者は、バーソナルコンピュータ１４を介して、加入者用屋外装置６、加入者用メディア変換器１１、および、宅内ルータ１３に配布された当該暗号化のキーを登録する。
【００２２】
無線基地局１は、配布されたキーで暗号化されたデータのみ受け付け、他のデータは受け付けないように構成されている。また、あるキーで暗号化されたデータは、そのキーでのみ復号できるようにする。これにより、加入者が他の加入者のデータを覗き見することを防ぐことができる。
【００２３】
通常、宅内用のネットワーク用の暗号化のキーと、アクセスネットワーク用の暗号化のキーは別々であるが、本実施の形態３においては、これらを共通化することにより、加入者が簡単にキーの設定をすることを可能にする。
【００２４】
以上のように、本実施の形態によれば、上述の実施の形態１および２と同様の効果が得られるとともに、さらに、無線基地局１が、ＩＳＰにより配布されたキーで暗号化されたデータのみ受け付け、他のデータは受け付けないように構成されているので、通信のセキュリティを確保するとともに、パーソナルコンピュータ１４を介して暗号化のキーの登録を行うようにしたので、加入者が容易に通信の暗号化のキーを設定することができる。
【００２５】
実施の形態４．
次に、この発明の実施の形態４に係る加入者系無線アクセスライン延伸装置を説明する。
【００２６】
集合住宅の場合、間取りによっては加入者用屋外装置を設置するためのベランダが無い場合や、ベランダがあったとしても無線基地局の方向を向いておらず、一つの集合住宅の中でもサービスできる部屋とサービスできない部屋があるという問題がしばしば発生する。本実施の形態においては、この問題を解決するための方法を解説する。
【００２７】
図３はこの発明の実施の形態４に係る加入者系無線アクセスライン延伸装置の構成を示す構成図である。本実施の形態４の構成は、実施の形態１で説明した図１の構成に、別の加入者宅Ｂ３４を追加したものである。
【００２８】
図３に示すように、本実施の形態に係る加入者系無線アクセスライン延伸装置は、図１と同様に、電柱２に設けられて外部の通信線３に接続されている無線基地局３１と無線通信を行うための加入者用屋外装置３２を備えている。加入者用屋外装置３２は、加入者宅Ａ３３のベランダ５に設置されている。加入者用屋外装置３２には、給電ＬＡＮケーブル７が接続され、加入者宅Ａ３３の室内に置かれた加入者用メディア変換器３５を介して、宅内電灯線３６ａに接続されている。本実施の形態４においても、図１と同様に、給電ＬＡＮケーブル７は、エアコン１０のドレンパイプ９用の穴を経由して室内に引き込まれている。また、加入者宅Ａ３３の室内に置かれたパーソナルコンピュータ１４は、宅内ルータ１３を介して、宅内電灯線３６ａに接続されている。
【００２９】
また、図３に示すように、加入者宅Ｂ３４の室内に置かれたパーソナルコンピュータ３９は、宅内ルータ３８を介して、宅内電灯線３６ｂに接続されている。加入者宅Ｂ３４にはベランダが無く、加入者用屋外装置を設置する場所が無い。そこで、加入者宅Ａ３３および加入者宅Ｂ３４に対して、それぞれ、分電盤３７ａおよび３７ｂを設置し、これらの分電盤３７ａおよび３７ｂを介して、加入者宅Ａ３３の宅内電灯線３６ａと加入者宅Ｂ３４の宅内電灯線３６ｂとを接続している。分電盤３７ａ，３７ｂを介さずに直接接続してもよいが、宅内電灯線の配線系統が部屋によって異なると、各部屋のパーソナルコンピュータが必ずしも通信できないことになるので、これらの分電盤３７ａ，３７ｂにおいて調整するようにすることが望ましい。これにより、加入者宅Ｂ３４のパーソナルコンピュータ３９は、加入者用ルータ３８、宅内電灯線３６ｂ、分電盤３７ｂ、分電盤３７ａ、宅内電灯線３６ａ、加入者用メディア変換器３５、給電ＬＡＮケーブル７、加入者用屋外装置３２、および、無線基地局３１を介して外部ネットワークに接続することができる。
【００３０】
以上のように、本実施の形態においては、上述の実施の形態１と同様の効果が得られるとともに、さらに、ベランダが無く、加入者用屋外装置を設置する場所が無い加入者宅Ｂ３４においても、宅内電灯線どうしを分電盤を介して接続するようにしたので、加入者用ルータ３８、分電盤３７ａ、３７ｂ、加入者用メディア変換器３５、加入者用屋外装置３２、無線基地局３１を介して外部ネットワークに接続することができ、利便性が向上する。
【００３１】
また、加入者用無線アクセスラインで使用する無線のチャネルを複数の加入者で共有できるので、チャネルを節約できる。
【００３２】
集合住宅４の高さ方向に各階にわたって延設されている宅内電灯線４０を、同様に各部屋管で分電盤を介して接続すれば、異なる階の加入者宅においても、ベランダが無く、加入者用屋外装置を設置する場所が無い場合にも、室内のパーソナルコンピュータを外部ネットワークに接続することができ、さらに利便性が向上する。特に、地階等の部屋において有効である。
【図面の簡単な説明】
【００３３】
【図１】この発明の実施の形態１に係る加入者系無線アクセスライン延伸装置の構成を示す構成図である。
【図２】この発明の実施の形態２に係る加入者系無線アクセスライン延伸装置の構成を示す構成図である。
【図３】この発明の実施の形態４に係る加入者系無線アクセスライン延伸装置の構成を示す構成図である。
【符号の説明】
【００３４】
１  無線基地局、２  電柱、３  通信線、４  集合住宅、５  ベランダ、６  加入者用屋外装置、７  給電イーサネット（登録商標）ケーブル（給電ＬＡＮケーブル）、８  エアコンの室外機、９  ドレンパイプ、１０  エアコン、１１  加入者用メディア変換器、１２  宅内電灯線、１３  宅内ルータ、１４  パーソナルコンピュータ、２５  宅内電灯線、２６  加入者用メディア変換器、２７  ノイズフィルタ付き電源プラグ、２８  ノイズフィルタ、２９  電源ケーブル、３０  エアコン、３１  無線基地局、３２  加入者用屋外装置、３３  加入者宅Ａ、３４  加入者宅Ｂ、３５  加入者用メディア変換器、３６ａ，３６ｂ  宅内電灯線、３７ａ，３７ｂ  分電盤、３８  加入者用ルータ、３９  パーソナルコンピュータ。
【図１】
2005312184.tif 000003
【図２】
2005312184.tif 000004
【図３】
2005312184.tif 000005